(57)【特許請求の範囲】
【請求項１】
端子収容室を有するハウジング本体に、端子収容部を有する前部保持具を装着すると共に、ハウジング本体と該前部保持具との間に端子挿通孔を有する端子係止具を移動自在に介装し、該端子挿通孔を通じて該端子収容部に端子を挿入したのち、該端子係止具を移動させることにより、該端子収容部および該端子収容室に挿着した端子に対し、ハウジング本体に設けた可撓係止片の係合による係止と、該端子挿通孔に設けた係止部との当接による係止とを併せ行うようにしたコネクタであって、
前記ハウジング本体の端子挿入側にパッキン収納部が形成され、
前記ハウジング本体に設けられた案内溝を進退可能な、カム溝を有する係止具駆動体が装着され、かつ、端子挿入孔を有するパッキンを備えた後部保持具が前記ハウジング本体に進退自在に装着されると共に、該カム溝に該端子係止具に設けたカム突起が係入されており、
該係止具駆動体を前進させることにより、該パッキンが前記パッキン収納部に収納されるとともに、前記カム溝により前記端子係止具が駆動されて前記端子が係止されるようにした
ことを特徴とするコネクタ。
【請求項２】
前記端子係止具の係止部が、端子挿通孔の下側の壁を切欠いて形成した相対向する係止突部であり、くびれ部を有する端子の段部と該係止突部とを当接させて該端子を係止するようにしたことを特徴とする請求項１記載のコネクタ。
【請求項３】
端子収容室を設けたハウジング本体に、端子収容部を有する前部保持具を装着すると共に、ハウジング本体と該前部保持具との間に端子挿通孔を有する端子係止具を移動自在に介装し、該端子収容室を通じて該端子収容部に端子を挿入したのち、該端子係止具を移動させることにより、該端子収容部および該端子収容室に挿着した端子の係合凹部にハウジング本体に設けた可撓係止片を係合すると共に、該端子挿通孔の両側壁間に架設した係止壁と該可撓係止片とを当接させて該可撓係止片の変位を抑止するようにしたコネクタであって、
前記ハウジング本体の端子挿入側にパッキン収納部が形成され、
前記ハウジング本体に設けられた案内溝を進退可能な、カム溝を有する係止具駆動体が装着され、かつ、端子挿入孔を有するパッキンを備えた後部保持具が前記ハウジング本体に進退自在に装着されると共に、該カム溝に該端子係止具に設けたカム突起が係入されており、
該係止具駆動体を前進させることにより、該パッキンが前記パッキン収納部に収納されるとともに、前記カム溝により前記端子係止具が駆動されて前記可撓係止片の変位を抑止するようにした
ことを特徴とするコネクタ。
【発明の詳細な説明】
【０００１】
【発明の属する技術分野】
本発明は、主として自動車の電気配線に使用され、ハウジング本体内に収容する端子の係止を、ハウジング本体に介装した端子係止具によって行うようにしたしたコネクタに関する。
【０００２】
【従来の技術】
端子係止具を備えたコネクタとしては、たとえば、米国特許第５１２２０８０号明細書に、図１１に示すような、コネクタＫが提案されている。
コネクタＫは、ハウジングａの側部から端子係止具としてのスペーサｂを挿入し、スペーサｂの仮係止状態において、ハウジングａに収容する端子ｃに対し、スペーサｂに設けた可撓係止片ｄを係合させ、次いでスペーサｂを移動させて本係止状態に到達したときに、端子ｃに対し抜止当接部ｅを係合させて強固に係止する構造を有している。
【０００３】
しかしながら、コネクタＫのスペーサｂは、係止部材である可撓係止片ｄと抜止当接部ｅが櫛歯状に形成されているため、端子ｃが不完全挿入の状態にあっても、ハウジングａにスペーサｂを挿入する際に可撓係止片ｄあるいは抜止当接部ｅが変形しやすく、ハウジングａに挿着する端子ｃの不完全挿入の検知が不確実となる欠点がある。
【０００４】
また、スペーサｂの挿入時には、可撓係止片ｄが外れて抜止当接部ｅに移行することになるため、スペーサｂの移動時に端子保持力が低下して端子抜けが発生することがある。さらに、可撓係止片ｄのへたり防止機構がないため可撓係止片ｄの係止力が劣化するおそれがあるなどの問題点を有している。
【０００５】
【発明が解決しようとする課題】
本発明は、上記の問題点に着目してなされたもので、端子の不完全挿入の検知が明確であり、端子に対する係止が確実で信頼性が高く、組付け工程における作業性の優れた端子係止具を備えたコネクタを提供することを課題とする。
【０００６】
【課題を解決するための手段】
前記の課題を達成するため、請求項１に記載した発明のコネクタは、端子収容室を有するハウジング本体に、端子収容部を有する前部保持具を装着すると共に、ハウジング本体と該前部保持具との間に端子挿通孔を有する端子係止具を移動自在に介装し、該端子挿通孔を通じて該端子収容部に端子を挿入したのち、該端子係止具を移動させることにより、該端子収容部および該端子収容室に挿着した端子に対し、ハウジング本体に設けた可撓係止片の係合による係止と、該端子挿通孔に設けた係止部との当接による係止とを併せ行うようにしたコネクタであって、前記ハウジング本体の端子挿入側にパッキン収納部が形成され、前記ハウジング本体に設けられた案内溝を進退可能な、カム溝を有する係止具駆動体が装着され、かつ、端子挿入孔を有するパッキンを備えた後部保持具が前記ハウジング本体に進退自在に装着されると共に、該カム溝に該端子係止具に設けたカム突起が係入されており、該係止具駆動体を前進させることにより、該パッキンが前記パッキン収納部に収納されるとともに、前記カム溝により前記端子係止具が駆動されて前記端子が係止されるようにしたことを特徴とする。
【０００７】
前記端子係止具の係止部が、端子挿通孔の下側の壁を切欠いて形成した相対向する係止突部であり、くびれ部を有する端子の段部と該係止突部とを当接させて該端子を係止することが好ましい（請求項２）。
【０００８】
請求項３に記載した発明のコネクタは、端子収容室を設けたハウジング本体に、端子収容部を有する前部保持具を装着すると共に、ハウジング本体と該前部保持具との間に端子挿通孔を有する端子係止具を移動自在に介装し、該端子収容室を通じて該端子収容部に端子を挿入したのち、該端子係止具を移動させることにより、該端子収容部および該端子収容室に挿着した端子の係合凹部にハウジング本体に設けた可撓係止片を係合すると共に、該端子挿通孔の両側壁間に架設した係止壁と該可撓係止片とを当接させて該可撓係止片の変位を抑止するようにしたコネクタであって、前記ハウジング本体の端子挿入側にパッキン収納部が形成され、前記ハウジング本体に設けられた案内溝を進退可能な、カム溝を有する係止具駆動体が装着され、かつ、端子挿入孔を有するパッキンを備えた後部保持具が前記ハウジング本体に進退自在に装着されると共に、該カム溝に該端子係止具に設けたカム突起が係入されており、該係止具駆動体を前進させることにより、該パッキンが前記パッキン収納部に収納されるとともに、前記カム溝により前記端子係止具が駆動されて前記可撓係止片の変位を抑止するようにしたことを特徴とする。
【０００９】
【発明の実施の形態】
以下、本発明の実施例について説明する。
図１は、本発明の実施例に係る端子係止具を備えたコネクタＡを示す分解斜視図である。
コネクタＡは、ハウジング本体１と、前部保持具２と、端子係止具３と、後部保持具４とから成り、パッキン５を含めて一体に組付けるようにしてある。
【００１０】
ハウジング本体１は、筒状の外套部１ａの内側に複数の端子収容室７が２段に配置されており、端子収容室７内に雌型の端子８を収容するようにしている。各端子収容室７の下側には、前方に延びる可撓係止片９が突設されている。
外套部１ａの内側と両端の端子収容室７との間には、後述する後部保持具４の係止具駆動体１９を支持する案内溝１０、１０がそれぞれ設けてある。
【００１１】
前部保持具２は、その内部にハウジング本体１の端子収容室７に対応する複数の端子収容部１１を有し、ハウジング本体１の端子収容室７の前方に嵌着して、端子収容部１１内に端子８の電気接触部８ａを収容するようにしてある。端子収容部１１の前方には、図２に示すように、相手側の端子を受け入れるための受容口１１ａが形成されている。
【００１２】
端子収容部１１の下方には解除用孔１２が端子収容部１１に並行して設けられており、解除用孔１２の一端は、端子収容部１１の受容口１１ａの下側に開口部１２ａとして開口し、他端には可撓係止片９に対するへたり防止突起１３が設けられている。
【００１３】
端子係止具３は、ハウジング本体１の端子収容室７および前部保持具２の端子収容部１１に対応して円形の端子挿通孔１４が２段に並設された枠状に形成され、両側壁３ａにはピン状のカム突起１５が外方に向けて設けてある。
端子挿通孔１４の下側には、図３に示すように、端子挿通孔１４の壁を端子挿通孔１４の直径より細幅に切欠いて形成した係止部としての係止突部１６、１６が相対向して設けられている。
【００１４】
後部保持具４は、ハウジング本体１の後部に嵌着する筒状の外周部４ａと、外周部４ａの内側に設けた端子保持部４ｂとから成る。後部保持具４は、外周部４ａに形成した門型のロック部４ｃと、ハウジング本体１の係止部１ｂとを合致させ、互いに固定するようにしてある。
【００１５】
端子保持部４ｂには、ハウジング本体１の端子収容室７に対応して複数の端子挿入孔１７が並設され、両端部には駆動体挿着孔１８、１８が設けられている。駆動体挿着孔１８には、短冊状の係止具駆動体１９が嵌挿され、端子保持部４ｂの後方から操作することにより、端子保持部４ｂに対し進退可能に装着されている。双方の係止具駆動体１９の内側面１９ａの前半部には、カム溝２０が凹設されている。
【００１６】
端子８は、円筒状の電気接触部８ａと、電線接続部８ｂとの間に、細径のくびれ部８ｃが形成されており、電線接続部８ｂに電線Ｗ（図２参照）が接続されている。くびれ部８ｃの直径は、端子係止具３の端子挿通孔１４に設けた係止突部１６、１６相互間の間隙より小径に形成されている。
なお、この端子８は、いわゆる丸ピン型の端子であるが、電気接触部が箱型の端子であっても同様にくびれ部を形成することにより使用可能である。
【００１７】
次に、端子係止具３の操作により端子８を係止する過程について説明する。
先ず、ハウジング本体１に、前部保持具２、端子係止具３および後部保持具４を、図２に示したように、パッキン５、５′を介在させて組付ける。そして、電線Ｗを接続した端子８を、後部保持具４の端子挿入孔１７、ハウジング本体１の端子収容室７、端子係止具３の端子挿通孔１４に挿入し、前部保持具２の端子収容部１１内に端子８の電気接触部８ａを挿着する。
【００１８】
端子８は、くびれ部８ｃと電気接触部８ａによって形成される段部８ｄの下側に可撓係止片９の係止突起９ａが係合して、ハウジング本体１に対し係止される（図６参照）。このとき、端子係止具３のカム突起１３は、図４に示すように、係止具駆動体１９のカム溝２０の下部２０ａに位置している。
【００１９】
係止具駆動体１９を矢印方向へ前進させると、図５に示すように、端子係止具３のカム突起１５が、係止具駆動体１９のカム溝２０に沿ってカム溝２０の上部２０ｂに移行し、図６に示すように、端子係止具３が上方へ移動して、端子挿通孔１４の係止突部１６と、端子８の段部８ｄとが当接し、端子８は端子係止具３の係止突部１６によって係止される。
【００２０】
したがって、端子８は、図７に示すように、その段部８ｄにおいてハウジング本体１の可撓係止片９と端子係止具３の係止突部１６とによって二重に係止される。
端子８が不完全挿入の状態にあるときは、端子係止具３の係止突部１６が端子８の電気接触部８ａに衝合して端子係止具３の上方への移動が阻止されるため、確実に検知することができる。
【００２１】
端子８をハウジング本体１から離脱させるときは、係止具駆動体１９を後退させて端子係止具３を下方へ移動させると共に、前部保持具２の端子収容部１１の下方に設けた解除用孔１２の開口部１２ａから細い棒状の治具（図示せず）を挿入して、可撓係止片９を端子８のくびれ部８ｃから外すことにより、電線Ｗを接続した端子８を後方に引き出せばよい。
【００２２】
上記の実施例においては、くびれ部８ｃを有する端子８を用いる例を示したが、くびれ部を有しない端子を使用する場合について説明する。
図８は、請求項２に記載した発明に係るコネクタに使用される端子係止具３′の要部を示す平面図である。端子係止具３′は、前記端子係止具３のような係止突部１６を設けた端子挿通孔１４に代えて、端子挿通孔２１の両側壁２１ａ、２１ａ′間に係止壁２２を架設した構造を有している。他の構造は前記端子係止具３と同様であるので説明は省略する。
【００２３】
この端子係止具３′を前記実施例のコネクタＡの端子係止具３に代えて組付け、くびれ部を有しない端子２３を係止する過程について説明する。
図９は、前記ハウジング本体１の端子収容室７および前部保持具２の端子収容部１１に端子２３を挿入した状態を示している。
【００２４】
端子２３は、箱状の電気接触部２３ａの底部に係止凹部２３ｂが形成され、後部の電線接続部２３ｃに電線Ｗを接続するようにした雌型の端子である。端子２３には、前記端子８のくびれ部８ｃに相当する部位は形成されていない。
端子２３は、電気接触部２３ａの底部に設けられた係止凹部２３ｂに可撓係止片９の係止突起９ａが係合して係止されている。このとき、端子係止具３′は、図４に示した端子係止具３と同様の位置にある。
【００２５】
係止具駆動体１９を前進させて端子係止具３′を上方へ移動させると、図１０に示すように、端子挿通孔２１に設けた係止壁２２が可撓係止片９の直下まで上昇し、可撓係止片９の下方への変位を阻止する。したがって端子２３の係止凹部２３ｂから可撓係止片９の抜け出しが防止され、端子２３は強固に係止される。
端子２３が不完全挿入の状態にあるときは、端子係止具３′の係止壁２２が可撓係止片９と干渉して端子係止具３′の上方への移動が阻止されるため、確実に検知することができる。
【００２６】
【発明の効果】
本発明のコネクタは、枠状の端子係止具を用いているため、従来の櫛歯状の端子係止具に比較して変形が少なく、端子に対する係止が確実となると共に不完全挿入の端子に衝合した際の変形が殆どないので不完全挿入の検知が明確となり、信頼性が向上する。また、可撓係止片による係止が継続した状態で端子係止具による係止が行われるため端子保持力が向上し、端子挿入作業時などにおける端子の抜け出しが確実に防止される。さらに、ハウジングに挿入した端子に対する端子係止具の移動を、係止具駆動体の嵌合方向への進退操作によって行うようにしているため、端子係止具の操作に要する空間が少なくて済み、組付け工程の作業性が向上するなどの多くの利点がある。
【図面の簡単な説明】
【図１】本発明の実施例に係る端子係止具を備えたコネクタの分解斜視図である。
【図２】図１のコネクタの組付けた状態を示す縦断面図である。
【図３】図１の端子係止具の端子挿通孔の構造を示す平面図である。
【図４】図２の係止具駆動体のカム溝と端子係止具のカム突起の位置を示す説明図である。
【図５】図２の係止具駆動体を前進させて端子係止具を移動させたときのカム突起の位置を示す説明図である。
【図６】図２の端子係止具を移動させて端子を係止した状態を示す縦断面図である。
【図７】図６の端子に対する可撓係止片と係止突部とによる係止状態を示す説明図である。
【図８】本発明の別の実施例に係る端子係止具の構造を示す平面図である。
【図９】図８の端子係止具によりくびれ部を有しない端子に対する係止を行う過程を示す縦断面図である。
【図１０】図９の端子係止具を移動させて可撓係止片の変位を抑止する状態を示す縦断面図である。
【図１１】従来のスペーサを備えたコネクタを示す分解斜視図である。
【符号の説明】
Ａ                コネクタ
１                ハウジング本体
２                前部保持具
３、３′          端子係止具
４                後部保持具
７                端子収容室
８                端子
８ｃ              くびれ部
８ｄ              段部
９                可撓係止片
１１              端子収容部
１４              端子挿通孔
１５              カム突起
１６              係止突部
１７              端子挿入孔
１９              係止具駆動体
２０              カム溝
２１              端子挿通孔
２１ａ、２１ａ′  側壁
２２              係止壁
２３              端子
２３ｂ            係止凹部
【図１】
0003983380.tif 000002
【図２】
0003983380.tif 000003
【図３】
0003983380.tif 000004
【図４】
0003983380.tif 000005
【図５】
0003983380.tif 000006
【図６】
0003983380.tif 000007
【図７】
0003983380.tif 000008
【図８】
0003983380.tif 000009
【図９】
0003983380.tif 000010
【図１０】
0003983380.tif 000011
【図１１】
0003983380.tif 000012